(57)【特許請求の範囲】
【請求項１】
樹脂製の棒状本体の一端側に、長尺棒状の高さ調整具を一端側にて長手方向に揃えて着脱可能に固定するための固定部を設けており、該棒状本体の他端側に、アンカーボルトを端部にて吸着して吊り下げ可能な磁石部を設けたことを特徴とする高さ調整補助具。
【請求項２】
前記固定部が、前記棒状本体の一端側から長手方向に延びた前記高さ調整具を挿嵌するための上挿嵌孔と、前記棒状本体の該上挿嵌孔を囲んだ周囲の複数箇所にて長手方向に延びたスリットにより分離された複数の取付片からなる軸心方向に弾性変形可能にされた変位部と、該変位部の外周側に嵌め合わされて該変位部を外周側から締め付ける筒状の締付部材とにより構成されていることを特徴とする請求項１に記載の高さ調整補助具。
【請求項３】
前記磁石部が、前記棒状本体の外周面に配設されており、該棒状本体が、他端側にてコンクリートの天端位置を決める天端出し治具の先端部が挿入可能な下挿嵌孔を設けると共に、他端側の該下挿嵌孔を挟んだ両側にて該棒状本体の長手方向に延びた一対の挟持片を設け、該一対の挟持片が前記天端出し治具の先端近傍位置に設けた一対の羽根部間に挿嵌されて該羽根部に係止可能にされることを特徴とする請求項１又は２に記載の高さ調整補助具。
【請求項４】
前記磁石部の突出面が前記棒状本体の長手方向に対して直角な平坦面になっており、該平坦面が前記下挿嵌孔の底面と面一にされていることを特徴とする請求項３に記載の高さ調整補助具。
【発明の詳細な説明】
【技術分野】
【０００１】
本発明は、住宅用の基礎コンクリートに立設されるアンカーボルト等の高さを調整するために用いられる高さ調整補助具に関する。
【背景技術】
【０００２】
アンカーボルトは、特許文献１に示すように、相対向して立設された一対の型枠列の間を跨いで両上端に固定される板状のアンカーボルト支持部材の中央取付孔に、高さ調整された状態で取り付けられてボルトで締め付け固定されるようになっている。このアンカーボルトの取り付けに際しては、アンカーボルトの上端に棒状の高さ調整具を繋ぎ合せて手で持って重ね合わせ、高さ調整具に位置決めされた受光部にレーザ測量機からのレーザ光を照射することにより高さ調整が行われる。高さ調整後は、位置決めされたアンカーボルトを手で持ったままで高さ調整具のみを外して横に置き、アンカーボルトをネジで締め付けてアンカーボルト支持部材に固定するようにされていた。
【０００３】
しかし、高さ調整具を重いアンカーボルトの上端に合わせて手で持ちながら高さ調整するのでは作業が不安定であり、高さ調整の精度にもばらつきが生じやすい。また、高さ調整後に、アンカーボルトを手で持ちながら高さ調整具のみを取り外し、ボルトを手で締め付けてアンカーボルトをアンカーボルト支持部材に取り付けるという２段階の作業となっている。そのため、高さ調整作業の負担が大きく、多数のアンカーボルトの高さを調整する作業現場では、負担の大きな作業を長時間続けなければならないという問題がある。
【０００４】
一方、一対の型枠間には布基礎コンクリートが打設されるが、このコンクリートの高さについては、例えば図１０に示すような天端出し治具が用いられる。この天端出し治具は、下端側の固定部にて型枠間に配設された鉄筋に固定され、上端側に設けた溝にドライバーを差し込んで回転させることにより、天端高さが決められるようになっている。この天端高さと上記アンカーボルトの上端高さの寸法は予め決まった値になっている。しかし、従来は、天端高さとアンカーボルトの高さの計測は別個の作業により行われていたため、両者の関係を有効に作業に活用することがなく、作業に無駄があった。
【先行技術文献】
【特許文献】
【０００５】
【特許文献１】実用新案登録第３０７７０２９号公報
【発明の概要】
【発明が解決しようとする課題】
【０００６】
本発明は、上記問題を解決しようとするもので、住宅用の基礎コンクリートに立設されるアンカーボルトの高さを簡易にかつ精度よく調整できる高さ調整補助具を提供することにある。また、本発明の他の目的は、基礎コンクリートの天端高さを簡易に調整できると共に、アンカーボルトの高さ調整に関連させることができる高さ調整補助具を提供することにある。
【課題を解決するための手段】
【０００７】
上記目的を達成するために本発明の構成上の特徴は、棒状本体の一端側に、長尺棒状の高さ調整具を一端側にて長手方向に揃えて着脱可能に固定するための固定部を設けており、棒状本体の他端側にアンカーボルトの端部を吸着して吊り下げ可能な磁石部を設けたことにある。
【０００８】
上記のように構成した発明においては、高さ調整補助具の棒状本体の固定部に固定された長尺棒状の高さ調整具が、棒状本体を下にして鉛直状態で配置され、棒状本体の他端側に設けた磁石部にアンカーボルトの端部を吸着させることにより、アンカーボルトが吊り下げられた状態にされる。このように吊り下げられたアンカーボルトが、住宅用の基礎コンクリートの打設現場において相対向して立設された一対の型枠列間に挿入された状態で、レーザ測量機等を用いて高さ調整具の規定の高さ位置に合わせることにより、アンカーボルトの高さが決められる。さらに、高さの決められたアンカーボルトが、一対の型枠列の上端間に取り付けられたアンカーボルト支持部材に手でボルト止め等によって固定され、その後、アンカーボルトから高さ調整具を取り外すことにより、アンカーボルトが高さ調整された状態でアンカーボルト支持部材に固定される。その結果、本発明によれば、アンカーボルトの高さ位置決め作業を、従来に比べて簡易にかつ精度良く行うことができる。
【０００９】
また、本発明において、固定部が、棒状本体の一端側から長手方向に延びた高さ調整具を挿嵌するための上挿嵌孔と、棒状本体の上挿嵌孔を囲んだ周囲の複数箇所にて長手方向に延びたスリットにより分離された複数の取付片からなる軸心方向に弾性変形可能にされた変位部と、変位部の外周側に嵌め合わされて変位部を外周側から締め付ける筒状の締付部材とにより構成されていることが好ましい。本発明によれば、固定部の上挿嵌孔に高さ調整具の先端側を挿嵌し、変位部の外側から締付部材によって変位部を締め付けることにより、高さ調整具を変位部に簡易にかつ強固に固定することができ、さらに高さ調整具からの高さ調整補助具の取り外しも簡単になる。
【００１０】
また、本発明において、磁石部が、棒状本体の外周面に配設されており、棒状本体が、他端側にてコンクリートの天端位置を決める天端出し治具の先端部が挿入可能な下挿嵌孔を設けると共に、他端側の下挿嵌孔を挟んだ両側にて棒状本体の軸方向に延びた一対の挟持片を設け、一対の挟持片が天端出し治具の先端近傍位置に設けた一対の羽根部間に挿嵌されて羽根部に係止可能にされるようにしてもよい。これにより、磁石部に邪魔されることなく、天端出し治具の先端部を下挿嵌孔に挿嵌して先端羽根を挟持片で挟むことができ、高さ調整具を回動させることにより、天端高さを簡単に決めることができる。
【００１１】
また、本発明において、磁石部の突出面が棒状本体の長手方向に対して直角な平坦面になっており、平坦面が下挿嵌孔の底面と面一にされていることが好ましい。これにより、天端高さを決めたときに磁石の平坦面の高さが天端高さに一致しているため、この天端高さを基準としたアンカーボルトの先端高さを高さ調整具によって簡単に決めることができ、その後、磁石部にアンカーボルトを吊り下げることにより、アンカーボルトの高さを簡単にかつ精度よく決めることができる。
【発明の効果】
【００１２】
本発明においては、棒状本体の固定部に固定された長尺棒状の高さ調整具を手で持ち、棒状本体の他端側の設けた磁石部にアンカーボルトの端部を吸着させて吊り下げた状態で、アンカーボルトの高さを決めることができるため、アンカーボルトの高さ調整作業を、従来に比べて簡易にかつ精度良く行うことができる。また、本発明によれば、磁石部の平坦面が下挿嵌孔の底面と面一にされていることにより、天端高さを基準としたアンカーボルトの先端高さを高さ調整具によって簡単に決めることができる。
【図面の簡単な説明】
【００１３】
【図１】本発明の一実施例である高さ調整補助具を示す一部破断正面図である。
【図２】高さ調整補助具を示す右側面図である。
【図３】高さ調整補助具を示す平面図である。
【図４】高さ調整補助具を示す底面図である。
【図５】高さ調整補助具の基部を示す一部破断正面図である。
【図６】高さ調整補助具の基部を示す平面図である。
【図７】高さ調整補助具の締付部材を示す（ａ）一部破断正面図、（ｂ）平面図及び（ｃ）底面図である。
【図８】高さ調整補助具に高さ調整具を取り付けると共に、アンカーボルトを吊り下げた状態を説明する説明図である。
【図９】高さ調整具を示す（ａ）正面図及び（ｂ）底面図である。
【図１０】天端出し治具を示す（ａ）正面図及び（ｂ）平面図である。
【図１１】高さ調整補助具を天端出し治具に装着した状態を説明する側面側から見た説明図である。
【図１２】高さ調整補助具を天端出し治具に装着した状態を説明する底面側から見た説明図である。
【図１３】高さ調整補助具が取り付けられた高さ調整具を用いた基礎コンクリートの天端高さの調整作業を説明するための説明図である。
【図１４】高さ調整補助具が取り付けられた高さ調整具を用いたアンカーボルトの高さ調整作業を説明するための説明図である。
【図１５】高さ調整具による（Ｉ）基準高さ、（ＩＩ）天端高さ、（ＩＩＩ）アンカーボルト高さの関係を説明する説明図である。
【発明を実施するための形態】
【００１４】
以下、本発明の実施の形態について図面を用いて説明する。図１〜図４は、一実施例であるコンクリートの天端高さやアンカーボルトの高さを調整するために用いられる高さ調整補助具１０を一部破断正面図、右側面図、平面図、及び底面図により示したものである。なお、以下の説明において、高さ調整補助具１０の上下，左右方向については、図１の上下，左右に合わせるものとする。
【００１５】
高さ調整補助具１０は、樹脂製で棒状の棒状本体１１と、その一端側外周面に被せられる樹脂製で円筒状の締付部材２６とを設けている。棒状本体１１は、図５，図６に示すように、円柱形の下側部１２と、下側部１２の上面１２ａから同軸状に延びた円筒状の下側部１２より小径の上側部１９と、下側部１２の右外周面１２ｃ側に軸を揃えて一体で設けられた円柱状の磁石取付部１５とを備えている。下側部１２の底面１２ｂの中心には、下挿嵌孔１３が軸方向に円柱形状に凹んで設けられて、下側部１２の軸方向のほぼ中間まで延びている。また、下側部１２は、底面１２ｂの左右両側において軸方向に延びた一対の挟持片１４を一体で設けている。挟持片１４は、底面１２ｂの外周縁に沿って中心角略７０°で円弧状に湾曲すると共に径方向に所定の厚みを有する厚板である。
【００１６】
磁石取付部１５は、上面が下側部１２の上面１２ａと面一になっており、軸方向長さが下側部１２の軸方向長さの半分弱となっている。磁石取付部１５は、底面１５ａ側から同軸状に延びた取付孔１６を設けており、取付孔１６には磁石取付部１５と共に磁石部を構成する円柱形の磁石１７が挿嵌固定されるようになっている。磁石１７は、強力な磁力を有するネオジウム磁石である。図１に示すように、磁石１７は磁石取付部１５の底面１５ａからわずかに突出しており、磁石１７の突出面１７ａが下挿嵌孔１３の底面１３ａと面一になっている。
【００１７】
上側部１９は、上端側がわずかに先細の円筒形状で、上端面の中心から底部近傍まで軸方向に延びた円柱形の上挿嵌孔２１を同軸的に設けている。上挿嵌孔２１の底面２１ａには、後述する高さ調整具３０のドライバー部３３の頭部を差し込む十字形の差込孔２１ｂが設けられている。また、上側部１９は、上挿嵌孔２１を囲んだ前後及び左右位置において上下方向に切欠かれて上挿嵌孔２１の底面２１ａ近傍まで達する幅の狭い４本のスリット２２を設けている。上側部１９は、４本のスリット２２によって互いに分離された軸方向上下に延びた４個の取付片２４を設けている。この４本のスリット２２で分離された４個の取付片２４により変位部２３が構成されている。各取付片２４は、先端側の外周が先端に向けてわずかに傾斜した傾斜部２４ａになっており、傾斜部２４ａの下方の外周面には軸方向に沿ってねじ溝２５が形成されている。変位部２３の外周側に、上側部１９と共に固定部を構成する締付部材２６が嵌め合わされる。
【００１８】
締付部材２６は、図７に示すように、樹脂製の薄肉の円筒形状で、上側の軸方向長さが全体の略１／３を占める上端に向けて軸心方向にわずかに傾斜した円錐台形の傾斜筒部２７と、下側の円筒形の嵌合筒部２８とを一体で設けている。傾斜筒部２７の上端側の内径は、上側部１９のねじ溝２５部分の外径より小さくなっている。嵌合筒部２８は、外径が下側部１２の外径と同一であり、内径は上側部１９の外径と同等であり、内周面には上側部１９のねじ溝２５に螺合されるねじ孔部２９が設けられている。締付部材２６は、上側部１９に嵌め合わせて、ねじ孔部２９をねじ溝２５に螺合させることにより、上側部１９に取り付けられる。
【００１９】
つぎに、高さ調整補助具１０の高さ調整具３０への取り付けについて、図８，図９により説明する。高さ調整具３０は、図９に示すように、真直の棒状の部材であり、アルミニウム製の中空な四角柱状の長尺の角棒部３１と、角棒部３１に回動可能に挿通される円柱形の中棒部３２と、中棒部３２の下端に一体で取り付けられた小径のドライバー部３３とを同軸状に設けており、中棒部３２の上端に円柱形の把持部３４を設けている。角棒部３１の内端側には、水準器３５が摺動可能に取り付けられている。また、角棒部３１には、後述するレーザ測量機５０の受光部５１が取り付け可能になっている。高さ調整具３０のドライバー部３３を上側部１９の上挿嵌孔２１に挿嵌して頭部を差込孔２１ｂに差し込んだ状態で、締付部材２６の嵌合筒部２８のねじ孔部２９をねじ溝２５に螺合させて回動させる。これにより、傾斜筒部２７が、上側部１９の４個の取付片２４に径方向内方への押圧力を加えて変形させることができ、変位部２３を縮径させるようになっている。
【００２０】
その結果、ドライバー部３３が４個の取付片２４によって締め付けられて、高さ調整具３０が上側部１９に強固に固定される。このように、本実施例によれば、高さ調整補助具１０の棒状本体１１の上挿嵌孔２１に高さ調整具３０のドライバー部３３先端側を挿嵌し、変位部２３の外側から締付部材２６によって上側部１９を締め付けることにより、高さ調整具３０を上側部１９に簡易にかつ強固に固定することができ、さらに高さ調整具３０の上側部１９からの取り外しも簡単である。また、図８に示すように、磁石取付部１５に固定された磁石１７には、アンカーボルト３７が上端側にて強固に固定されて、吊り下げられる。
【００２１】
つぎに、高さ調整具３０に固定された高さ調整補助具１０の、コンクリートの天端高さ調整に使用される天端出し治具４０への取付けについて説明する。天端出し治具４０としては、例えば図１０に示すようなものが一般的に使用されている。この天端出し治具４０は、樹脂製で長尺棒状の基部４１と、基部４１の上端側に螺着されて上下動可能にされている丸棒状の調整部４３と、基部４１の下端に固定されている円環状の鉄筋取付部４６とを設けている。基部４１は、上半分が軸方向に同軸状に延びたねじ孔を有する取付部４２になっている。
【００２２】
調整部４３は、上端から所定寸法離れた外周面に径方向に対称に外方に広がる一対の羽根部４４を設けており、羽根部４４の下側の外周面に軸方向に延びたねじ部４５を設けている。調整部４３は、上端がコンクリートの天端を合わせる第１基準面になっており、上端面にはドライバー部３３の頭部を嵌め合わせ可能な取付溝４３ａを設けている。羽根部４４は、レベラーを流し込むための基準となる第２基準面を表すものである。鉄筋取付部４６は、基部４１の下端側の一箇所に軸方向に平行に一体で取り付けられており、半円弧形に延びて先端内側に係止内爪４７ａを有する第１締付片４７と、第１締付片４７の反対側に半円弧形に延びて先端外側に係止外爪４８ａを有する第２締付片４８を設けている。鉄筋取付部４６は、第１締付片４７と第２締付片４８で鉄筋を囲んで嵌め合わせて、係止内爪４７ａを係止外爪４８ａに係止させることにより、鉄筋に強固に締め付け固定される。
【００２３】
図１１，図１２に示すように、鉄筋（図示しない）に鉛直に固定された天端出し治具４０の基部４１が、高さ調整具３０に固定された高さ調整補助具１０の下側部１２に設けた下挿嵌孔１３に挿嵌され、下側部１２の底面に当接した一対の羽根部４４間に一対の挟持片１４を嵌め合わせることにより、羽根部４４が挟持片１４に係止される。そのため、高さ調整具３０を回動させることにより、羽根部４４も一体となって回動する。その結果、調整部４３が上下動することにより、天端出し治具４０の天端高さ調整が簡易に行われる。
【００２４】
つぎに、高さ調整補助具１０を用いた天端出し治具４０による天端高さの設定例について、図１３，図１５により説明する。住宅用の基礎コンクリートの打設現場において相対向して立設された一対の型枠列１間に立設された鉄筋２の上端側に天端出し治具４０が鉄筋取付部４６にて固定される。天端出し治具４０の基部４１が高さ調整具３０に固定された高さ調整補助具１０の下挿嵌孔１３に挿嵌され、一対の羽根部４４が挟持片１４間に挟まれる。高さ調整具３０の受光部５１位置は、予め基準となる高さＫ、例えば丁張の高さである２５０ｍｍになるように合わされており、この基準高さＫを基準として、天端高さ例えば基準高さＫから１２０ｍｍ下の位置Ｋ１になるように合わされる。高さ調整具３０に取り付けられた受光部５１による基準高さＫと天端高さＫ１の関係と、レーザ測量機５０による調整については、図１５に概略的に示す。この状態で、高さ調整具３０を回動させることにより天端出し治具４０の調整部４３が上下し、レーザ測量機５０で受光部５１位置になるまで高さ調整することにより、天端位置が決められる。
【００２５】
つぎに、高さ調整補助具１０を用いたアンカーボルトの高さの設定例について、図１４，図１５により説明する。高さ調整具３０の天端高さに相当する位置Ｋ１を基準として、アンカーボルト３７の上端位置に相当する位置Ｋ２に受光部５１が位置合わせされる。高さ調整具３０に取り付けられた受光部５１による天端高さＫ１とアンカーボルト高さＫ２の関係と、レーザ測量機５０による調整については、図１５に概略的に示す。一対の型枠列１の上端間にボルト４で固定された板状のアンカーボルト支持部材３の中央の取付孔５にアンカーボルト３７が挿入され垂直にされた状態で、高さ調整具３０とアンカーボルト３７とを手で持ち、棒状本体１１の他端側に設けた磁石１７にアンカーボルト３７の端部を吸着させて吊り下げる。
【００２６】
この状態で、高さ調整具３０とアンカーボルト３７を上下させながら、レーザ測量機５０を用いて高さ調整具３０の受光部５１の位置Ｋ２になるまで高さ調整されることにより、アンカーボルト３７が規定高さにされる。高さが決められた後、アンカーボルト支持部材３にアンカーボルト３７をボルト３８で位置決め固定し、その後、アンカーボルト３７から高さ調整具３０及び高さ調整補助具１０を取り外すことにより、高さ調整されたアンカーボルト３７がアンカーボルト支持部材３に固定される。その結果、本実施例によれば、アンカーボルト３７の位置決め作業を、従来に比べて簡易にかつ精度良く行うことができる。
【００２７】
なお、上記実施例においては、高さ調整補助具１０は、下側部に一対の挟持片１４を設けているが、これを省くことも可能であり、上端側に上記羽根部を有しない天端出し治具にも適用することができる。また、上記実施例においては、高さ調整補助具１０は、下側部１２の外周側に磁石取付部１５を設けているが、これに代えて磁石取付部を下側部の底部に設けることも可能である。さらに、上記実施例においては、高さ調整補助具１０は、磁石１７の突出面１７ａが下挿嵌孔１３の底面１３ａと面一になっているが、これに限らない。
【００２８】
また、上記実施例に示した高さ調整具３０については、図９に示したものに限らず、長尺棒の一端側に細い丸棒を取り付けたもので、丸棒を上挿嵌孔２１に挿嵌固定できるものであってもよい。さらに、上記実施例に示したアンカーボルト支持部材３についても、図１３，図１４に示したものに限らず、一方の型枠に支持されて、アンカーボルトの高さに加えて横方向の位置も調整できるような構造のものであってもよい。その他、上記実施例に示した高さ調整補助具の各部の構造については一例であり、本発明の主旨を逸脱しない範囲において種々変更して実施することが可能である。
【符号の説明】
【００２９】
１０…高さ調整補助具、１１…棒状本体、１２…下側部、１３…下挿嵌孔、１４…挟持片、１５…磁石取付部、１７…磁石、１９…上側部、２１…上挿嵌孔、２２…スリット、２３…変位部、２４…取付片、２５…ねじ溝、２６…締付部材、２９…ねじ孔部、３０…高さ調整具、３３…ドライバー部、３７…アンカーボルト、４０…天端出し治具、４１…基部、４３…調整部、４４…羽根部、５１…受光部。
【図１】
0006709461.tif 000002
【図２】
0006709461.tif 000003
【図３】
0006709461.tif 000004
【図４】
0006709461.tif 000005
【図５】
0006709461.tif 000006
【図６】
0006709461.tif 000007
【図７】
0006709461.tif 000008
【図８】
0006709461.tif 000009
【図９】
0006709461.tif 000010
【図１０】
0006709461.tif 000011
【図１１】
0006709461.tif 000012
【図１２】
0006709461.tif 000013
【図１３】
0006709461.tif 000014
【図１４】
0006709461.tif 000015
【図１５】
0006709461.tif 000016